(57)【要約】【課題】  着心地が良く襟ぐりが後方に抜けることのない洋服を縫製し得る洋服の型紙を提供すること。【解決手段】  後身頃２の襟ぐり２ａのバックネックポイント７が、人間の首の後ろの頸椎の突出部の位置を基準点として、該基準点から５ｍｍ以上〜１５ｍｍ以内の範囲において前方寄りに設けられ、後身頃２の肩線２ｃが、人間の肩の稜線を基準線として、該基準線から５ｍｍ以上〜１５ｍｍ以内の範囲において前方寄りに設けられ、バックネックポイント７を起点として形成された後身頃２の襟ぐり２ａのラインと肩線２ｃの内側が交差する点にサイドネックポイント８が設けられ、サイドネックポイント８から前身頃１の襟ぐり１ａが形成されることにより、後身頃２の襟みつ幅Ｂが前身頃１の襟みつ幅Ａより長くなるように形成された洋服の型紙により構成される。【選択図】  図１
0003216409.tif 000002
【実用新案登録請求の範囲】
【請求項１】
少なくとも前身頃と後身頃により構成される洋服の型紙であって、
上記後身頃の襟ぐりのバックネックポイントが、人間の首の後ろの首の付け根の頸椎の突出部に相当する位置を基準点として、該基準点から５ｍｍ以上〜１５ｍｍ以内の範囲において前方寄りに設けられると共に、
上記後身頃又は前身頃の肩線が、人間の肩の稜線に相当する位置を基準線として、該基準線から５ｍｍ以上〜１５ｍｍ以内の範囲において前方寄りに設けられ、
上記バックネックポイントを起点として形成された後身頃の襟ぐりのラインと上記肩線の内側が交差する点にサイドネックポイントが設けられ、
上記サイドネックポイントから上記前身頃の襟ぐりが形成されることにより、上記後身頃の襟みつ幅が上記前身頃の襟みつ幅より長くなるように形成された洋服の型紙。
【請求項２】
上記後身頃の襟ぐりのバックネックポイントが、上記基準点から５ｍｍ以上〜７ｍｍ以内の範囲において前方寄りに設けられると共に、
上記後身頃又は前身頃の肩線が、上記基準線から５ｍｍ以上〜７ｍｍ以内の範囲において前方寄りに設けられたものである請求項１記載の洋服の型紙。
【請求項３】
上記後身頃は後中心を中心線として左半分又は右半分のみが左右対称形状に形成されており、
上記前身頃は前中心を中心線として左半分又は右半分のみが左右対称形状に形成されている請求項１又は２記載の洋服の型紙。
【請求項４】
上記後身頃と上記前身頃を平面上に載置し、上記後身頃のサイドネックポイントと上記前身頃のサイドネックポイントを合わせた状態で、上記後身頃の後中心と上記前身頃の前中心を相互に平行に位置させたとき、
上記前身頃の上記前中心の位置は上記襟みつ幅の差の長さだけ上記後身頃の上記後中心の位置より平行にずれた状態となるように形成されたものである請求項１〜３の何れかに記載の洋服の型紙。
【請求項５】
請求項１〜４の何れかに記載の洋服の型紙を、洋服の作り方の説明書と共に袋に入れた商品。
【考案の詳細な説明】
【技術分野】
【０００１】
本考案は、ワンピース、ブラウス等の洋服の型紙及びその型紙を袋に収納した商品に関するものである。
【背景技術】
【０００２】
従来、ワンピース、ブラウス等の型紙において、襟ぐりのカットラインは、首の後ろの頸椎の出っ張り部分に相当する位置をバックネックポイントとして、そのポイント位置を基準に、後ろ身頃の襟ぐり及び前身頃の襟ぐりをカットし、また、前身頃と後身頃の境界となる肩線は、肩の最も高い位置（稜線部分）に沿って肩のカットラインを設けていた。また、このような型紙を袋に入れた商品が存在していた（特許文献１，２）。
【先行技術文献】
【特許文献】
【０００３】
【特許文献１】実開平３−１８１２７号公報
【特許文献２】米国特許出願公開第２０１０／０３１９４０７号明細書
【考案の概要】
【考案が解決しようとする課題】
【０００４】
ところで、上述のような型紙で洋服を縫製した場合、その洋服を身に付けた場合、襟ぐりの首の後ろ側（襟付の場合は襟の首の後ろ側）が、図９に示すように、後方に抜けてしまい（同図矢印Ｉ参照）、着心地が良いとは言えず、見た目も芳しくないという課題があった。
【０００５】
このような事象は、首を前屈みにして携帯電話を操作する動作を行うことが多くなった近年において、より顕在化しているものと考えられる。
【０００６】
そこで、携帯電話等が普及した現在においても、襟ぐり又は襟が後方に抜けることのない、見栄え及び着心地のよい洋服が求められている。
【０００７】
本考案は、上記従来の課題に鑑みてなされたものであり、着心地が良く、襟ぐり又は襟が後方に抜けることのない洋服を縫製するための洋服の型紙及びその商品を提供することを目的とする。
【課題を解決するための手段】
【０００８】
上記の目的を達成するため本考案は、
第１に、少なくとも前身頃と後身頃により構成される洋服の型紙であって、上記後身頃の襟ぐりのバックネックポイントが、人間の首の後ろの首の付け根の頸椎の突出部に相当する位置を基準点として、該基準点から５ｍｍ以上〜１５ｍｍ以内の範囲において前方寄りに設けられると共に、上記後身頃又は前身頃の肩線が、人間の肩の稜線に相当する位置を基準線として、該基準線から５ｍｍ以上〜１５ｍｍ以内の範囲において前方寄りに設けられ、上記バックネックポイントを起点として形成された後身頃の襟ぐりのラインと上記肩線の内側が交差する点にサイドネックポイントが設けられ、上記サイドネックポイントから上記前身頃の襟ぐりが形成されることにより、上記後身頃の襟みつ幅が上記前身頃の襟みつ幅より長くなるように形成された洋服の型紙により構成される。
【０００９】
このように構成された型紙により洋服を縫製すると、出来上がった洋服は、バックネックポイントが基準点から前寄りに位置し、かつ肩線が肩の稜線の基準線より前寄りに設けられるため、肩の後ろから前身頃の前中心の方向に向けて布を構成する糸の戻ろうとする力が作用し、結果として襟ぐり又は襟が後ろに抜けることを防止した着心地の良い洋服を製造することができる。
【００１０】
第２に、上記後身頃の襟ぐりのバックネックポイントが、上記基準点から５ｍｍ以上〜７ｍｍ以内の範囲において前方寄りに設けられると共に、上記後身頃又は前身頃の肩線が、上記基準線から５ｍｍ以上〜７ｍｍ以内の範囲において前方寄りに設けられたものである上記第１記載の洋服の型紙により構成される。
【００１１】
第３に、上記後身頃は後中心を中心線として左半分又は右半分のみが左右対称形状に形成されており、上記前身頃は前中心を中心線として左半分又は右半分のみが左右対称形状に形成されている上記第１又は２記載の洋服の型紙により構成される。
【００１２】
第４に、上記後身頃と上記前身頃を平面上に載置し、上記後身頃のサイドネックポイントと上記前身頃のサイドネックポイントを合わせた状態で、上記後身頃の後中心と上記前身頃の前中心を相互に平行に位置させたとき、上記前身頃の上記前中心の位置は上記襟みつ幅の差の長さだけ上記後身頃の上記後中心の位置より平行にずれた状態となるように形成されたものである上記第１〜３の何れかに記載の洋服の型紙により構成される。
【００１３】
このように構成された型紙により洋服を縫製する場合（図４（ａ）（ｂ）参照）、前身頃の前中心と後身頃の後中心のずれを無くして、両中心の位置を一直線上に合わせた状態で、前身頃の肩線を後身頃の肩線に合わせて縫製することにより、前身頃を構成する布が後方に引っ張られるため、前身頃を構成する布の糸の戻ろうとする力（前中心の方向に戻ろうとする力）が作用する。よって、当該力により、両肩線から前方向に布を構成する糸の戻ろうとする力が作用し、その結果、襟ぐり又は襟が後方に抜けることを防止した着心地の良い洋服を縫製することができる。
【００１４】
第５に、上記第１〜４の何れかに記載の洋服の型紙を、洋服の作り方の説明書と共に袋に入れた商品により構成される。
【考案の効果】
【００１５】
本考案に係る型紙により洋服を縫製すると、出来上がった洋服は、肩の後ろから前身頃の前中心の方向に向けて布を構成する糸の戻ろうとする力が作用し、結果として襟ぐり又は襟が後ろに抜けることを防止した着心地の良い洋服を製造することができる。
【図面の簡単な説明】
【００１６】
【図１】本考案に係る洋服の型紙の襟ぐり近傍の平面図である。
【図２】（ａ）（ｂ）共に、同上型紙を使用して縫製した洋服の襟ぐり近傍の斜視図である。
【図３】人間の首の後ろの頸椎の突出部を示す人間の頭部近傍の斜視図である。
【図４】（ａ）は同上型紙を平面においた状態の襟ぐり近傍の平面図、（ｂ）は同上型紙にて洋服を縫製する場合の説明図である。
【図５】（ａ）は同上型紙を使用して縫製した洋服の襟ぐり近傍の平面図、（ｂ）は同上洋服の斜視図である。
【図６】（ａ）（ｂ）共に、布の経糸と緯糸の関係を示す説明図である。
【図７】同上型紙を示す図であり、（ａ）は後身頃、（ｂ）は前身頃、（ｃ）は襟、（ｄ）は台襟、（ｅ）は袖を示す。
【図８】同上型紙で縫製したブラウスの斜視図である。
【図９】従来の型紙で縫製したブラウスの斜視図である。
【図１０】同上型紙を使用した商品の説明図である。
【考案を実施するための形態】
【００１７】
以下、本考案に係る洋服の型紙について詳細に説明する。
本考案に係る型紙１１は、図７に示すように、後身頃２（図７（ａ）参照）、前身頃１（図７（ｂ）参照）、襟３ａ（図７（ｃ）参照）、台襟３ｂ（図７（ｄ）参照）、袖４（図７（ｅ）参照）等からなる洋服（例えばワンピース）の型紙である。但し、洋服のデザインによっては、衿３ａ、台襟３ｂ、袖４等は存在しない場合がある。
【００１８】
ここで、図７において、２ａは後身頃２の襟ぐり、２ｂは後身頃の後中心、２ｃは後身頃の肩線、５は後身頃の袖ぐり、１ａは前身頃の襟ぐり、１ｂは前身頃の前中心、１ｃは前身頃の肩線、６は前身頃の袖ぐりである。
【００１９】
上記後身頃２は後中心２ｂを中心線として左半分又は右半分のみが左左右対称形状で形成され、上記前身頃１は前中心１ｂを上下方向の中心線として左半分又は右半分のみが左右対称形状で形成されている。
【００２０】
ここで、後身頃２において、上記後中心２ｂの上端位置と上記襟ぐり２ａとの交点をバックネックポイント７、肩線２ｃの内側と上記襟ぐり２ａとの交点をサイドネックポイント８、上記肩線２ｃの外側と上記袖ぐり５との交点をショルダーポイント９という。よって、前身頃１においても、同様に、上記肩線１ｃの内側と上記襟ぐり１ａとの交点をサイドネックポイント８、上記肩線１ｃの外側と上記袖ぐり６との交点をショルダーポイント９という。尚、上記型紙において、後中心２ｂ、前中心１ｂ側を「内側」、袖ぐり５，６側を「外側」という。
【００２１】
従来は、上記後身頃２の襟ぐりのバックネックポイント（基準点）は、図３に示すように、人間が首２０を前方に曲げたとき、首２０の後ろの付け根の頚椎の部分に突出する突出部１０（人間の首２０の第６頸椎又は第７頸椎等の頸椎の後方の骨の突起による突出部１０）に相当する位置をバックネックポイント７’（図１参照）としていた。
【００２２】
また、従来の上記肩線は、人間の肩の稜線、即ち、人間の首から肩にかけてのラインの内、肩における最も高い位置（肩の前後方向の略中央の左右方向ライン、図３、稜線２１参照）に沿って形成され、従って当該肩線２１’の内側において、上記襟ぐりと交差する点をサイドネックポイント８’（図１参照）としていた。
【００２３】
本考案は、上記バックネックポイント７の位置を、上記従来のバックネックポイント７’の位置（即ち、人間の首の後ろの付け根の頚椎の部分に突出する突出部１０に相当する位置）より若干前よりに形成し（図１参照）、当該バックネックポイント７の位置を基準点（起点）として、後身頃２の襟ぐり２ａを設けることにより、サイドネックポイント８の位置、及び、肩線２ｃの位置も若干量前寄りに形成することにより、当該型紙１１により洋服を縫製したとき、襟、襟ぐりが後方に抜けることがない、着心地の良い洋服を実現したものである。
【００２４】
以下、具体的に説明する。
図１は、図７の型紙１１の後身頃２と前身頃１の襟ぐり２ａ，１ａ近傍を示すものであり、説明の容易のため、後身頃２の後中心２ｂを上下の垂直方向に設置し、後身頃２の肩線２ｃに前身頃１の肩線１ｃを合わせた状態を示すものである。
【００２５】
本考案に係る型紙１１は、図１に示すように、少なくとも前身頃１と後身頃２により構成される洋服の型紙からなるものである。尚、図１において、紙面に向かって下側（後身頃２側）を「後」、「後方」、紙面に向かって上側（前身頃１側）を「前」、「前方」と定義する。
【００２６】
上記後身頃２の襟ぐり２ａのバックネックポイント７は、人間の首の後ろの首の付け根の頸椎の突出部１０（図３参照、従来のバックネックポイント７’）に相当する位置を基準点とし、該基準点から長さＴ＝５ｍｍ以上〜１５ｍｍ以内の範囲、好ましくは長さＴ＝５ｍｍ以上〜７ｍｍ以内の範囲において前方寄りに設けられている。具体的には、例えばＴ＝５ｍｍ、６ｍｍ、８ｍｍ、１２ｍｍ等である。
【００２７】
さらに、上記後身頃２の肩線２ｃ（又は上記前身頃１の肩線１ｃ）が、人間の肩の稜線（図３の稜線２１、図１における破線の肩線２１’）に相当する位置を基準線として、該基準線から長さＴ’＝５ｍｍ以上〜１５ｍｍ以内の範囲、好ましくは長さＴ’＝５ｍｍ以上〜７ｍｍ以内の範囲において前方寄りに設けられ、上記バックネックポイント７を起点として形成された後身頃２の襟ぐり２ａのライン２ａ’と上記肩線２ｃ（１ｃ）の内側が交差する点にサイドネックポイント８が設けられている。従って、上記サイドネックポイント８は従来のサイドネックポイント８’に比べて、長さＴ’＝５ｍｍ以上〜１５ｍｍ以内の範囲、好ましくは長さＴ’＝５ｍｍ以上〜７ｍｍ以内の範囲において前方寄りに設けられている（図１参照）。
【００２８】
具体的には、例えばＴ’＝５ｍｍ、６ｍｍ、８ｍｍ、１２ｍｍ等である。また、上記長さＴと上記長さＴ’は同一の数値であっても良いし、異なる数値であっても良い。例えばＴ＝５ｍｍとして、Ｔ’＝７ｍｍとすることもできる。
【００２９】
尚、上記サイドネックポイント８（従来の型紙はサイドネックポイント８’）は、上記肩線２ｃ（従来の型紙は稜線２１’）の内側の位置と、上記後身頃２の上記バックネックポイント７（従来の型紙はバックネックポイント７’）を起点として形成される襟ぐり２ａ（従来の襟ぐりは図１の破線の襟ぐり２ａ”のライン）との交点に相当する。この襟ぐり２ａは襟ぐり又は襟のデザインにより各種の弧を描くことができるので、当初は襟ぐり２ａの予想ラインを描いて、サイドネックポイント８の位置を決めた上で、バックネックポイント７とサイドネックポイント８間のカーブのデザインが決定される。何れにしても、サイドネックポイント８は上記肩線２ｃの内側の線上に位置することになる。
【００３０】
そして、上記後身頃２の上記サイドネックポイント８の位置から前身頃１の襟ぐり１ａが形成されることにより、上記後身頃２の襟みつ幅Ｂが上記前身頃１の襟みつ幅Ａより長くなるように形成されている（Ｂ＞Ａ）。
【００３１】
ここで、図１において、後身頃２と前身頃１に実線で示すラインが本考案に係る型紙１１の襟ぐり２ａ，１ａ、肩線２ｃ，１ｃのラインであり、同図中、後身頃２に破線で示すライン（襟ぐり２ａ”、肩線（稜線）２１’）が従来の型紙の襟ぐり及び肩線のカットラインである。
【００３２】
また、後身頃２の襟みつ幅Ｂとは、後身頃２の後中心２ｂをそのまま上方に延長してラインＬ１を描き、サイドネックポイント８から上記ラインＬ１に直交するラインＬ２を描いて、両ラインＬ１，Ｌ２の交点を７”とすると、交点７”と上記サイドネックポイント８間の長さをいう。襟みつ幅Ａとは、前身頃１の前中心１ｂをそのまま延長してラインＬ３を描き、サイドネックポイント８から、上記ラインＬ３に垂直にラインＬ４を描き、両ラインＬ３，Ｌ４の交点を８”とすると、交点８”と上記サイドネックポイント８間の長さをいう。
【００３３】
図１において、上記襟みつ幅Ｂに相当する従来の襟みつ幅を破線１Ｂ’で示し、上記襟みつ幅Ａに相当する従来の襟みつ幅を破線Ａ’で示している。同図にてわかるように、バックネックポイント７及びサイドネックポイント８が従来のバックネックポイント７’、従来のサイドネックポイント８’より上記長さＴ，Ｔ’だけ前寄りに形成されることにより、本考案に係る襟みつ幅Ｂは、従来の襟みつ幅１Ｂ’より長さＰ（図１参照）だけ長く形成されており、襟みつ幅Ａとの差がより広がっている。
【００３４】
上述のように形成した後身頃２と前身頃１を平面上に載置し（図４（ａ）参照）、上記後身頃２のサイドネックポイント８と上記前身頃１のサイドネックポイント８を合わせた状態で、上記後身頃２の後中心２ｂと上記前身頃１の前中心１ｂを相互に平行に位置させた状態を図４（ａ）に示す。
【００３５】
同図に示すように、このように平面上に載置すると、上記前身頃１の上記前中心１ｂの位置は上記襟みつ幅の差（Ｂ−Ａ）の長さだけ、上記後身頃２の上記後中心２ｂの位置より平行に（図４（ａ）の事例では後中心２ｂより右側に（Ｂ−Ａ）だけ）ずれた状態となるように形成されている。
【００３６】
ところで、洋服を作る生地（布）は、図６（ａ）（ｂ）に示すように、基本的に縦糸である経糸３０と、横糸である緯糸３１により織られている。そして布を織る機織機の構造上、経糸３０はピンと張って織られるが、緯糸３１は経糸３０の間を渡るように織られる。従って、織られた布は、経糸３０の張りは強く、緯糸３１の張りは弱めになっている。そして、布は織られた状態においては、織目は図６（ｂ）に示すように碁盤の目状になっている。
【００３７】
このような布の本来的な構造からして、布は図６（ａ）のように、矢印Ｃ方向に引っ張られると、主に張りの強い経糸３０がその逆方向（矢印Ｄ方向）に戻ろうとする方向の力が働くという性質を有している。
【００３８】
本考案の洋服の型紙１１は上述のように構成されるものであるから、次に、上記型紙１１を使用して洋服を作った場合の機能について説明する。尚、説明の容易のため、洋服においても、上記型紙と同一の符号を付す。
【００３９】
実際に図１（図７）の型紙１１を使用して布をカットし（適宜、縫い代を形成する）、フロントをボタンにする場合は、一対の左右対称の前身頃１，１、又は、フロントをボタンにしない場合は、前身頃１の型紙を使用して布をカットし、左右がつながった１枚の前身頃１，１を形成する（図２（ｂ）参照）。また、後身頃２の型紙を使用して布をカットし、左右がつながった１枚の後身頃２，２を形成する（図２（ａ）参照）。尚、ここでは作成する洋服は、図２に示すように、フロントにはボタンがない、いわゆる丸首のワンピースとする。
【００４０】
図２（ａ）（ｂ）に示すように、説明の便宜上、ワンピースには、後中心２ｂ、前中心１ｂを描いているが、実際は前身頃１，１は１枚の布、後身頃２も１枚の布により形成されているものとする。従って、前身頃１，１と後身頃２，２の肩線１ｃ，２ｃを縫い合わせ、袖ぐり６，５の下のラインを縫い合わせることにより、図２（ａ）（ｂ）に示すようなノースリーブのワンピースを形成することができる。
【００４１】
このような洋服を形作る過程においては、図２に示すような人体のトルソに布を当てて、図４（ｂ）に示すように、後身頃２の後中心２ｂと前身頃１の前中心１ｂが同一直線状となるように位置させた状態で、前身頃１の肩線１ｃと後身頃２の肩線２ｃとを接合し、両肩線１ｃ，２ｃを縫い合わせることになる。
【００４２】
ここで図２（ａ）（ｂ）において、従来の型紙で形成した洋服の後身頃の襟ぐり２ａ”を破線で示し、従来の型紙で形成した洋服の肩線２１’を破線で示す（図２（ｂ）参照）。
【００４３】
この状態においては、上記肩線１ｃ，２ｃの位置は、従来の肩線２１’が稜線２１に沿って設けられているのに対して、上記稜線２１より上記長さＴ又はＴ’（例えば５ｍｍ〜１５ｍｍ）の範囲で前寄りに設けられているので、即ち、上記肩線１ｃ，２ｃは、人間の肩の最も高い部分又は前後方向の中央部分（稜線２１）から前方向にずれた位置（稜線２１より前方向に若干低い位置）に位置しているので、前身頃１，１が下方向（矢印Ｆ方向）に下がろうとする力が作用し（図２（ｂ）参照）、その結果、図５（ａ）（ｂ）に示すように、襟ぐり２ａ、肩線２ｃ，１ｃの部分においても、前方向（矢印Ｇ方向）に作用する力が働くことになる。
【００４４】
さらに、図４（ｂ）に示すように、前中心１ｂと後中心２ｂを一直線状に合わせた状態において、上記肩線１ｃ，２ｃを縫い合わせることになるが、このとき前身頃１は、上記前中心１ｂを維持した状態で、肩線１ｃを矢印Ｅ方向に移動させて後身頃２の肩線２ｃと縫い合わせることになり（後身頃２の肩線２ｃは矢印Ｅ’方向に移動する）、そのとき、前身頃１には矢印Ｅ方向に引っ張った状態で、後身頃２の肩線２ｃと縫い合わせる必要がある。
【００４５】
その結果、前身頃１において布を構成する糸（主に経糸３０）の戻ろうとする力、即ち矢印Ｅ方向とは反対方向の力（図４（ｂ）の矢印Ｈ方向の力）が前身頃１を構成する布に作用し、この矢印Ｈ方向の力は、図５における上記矢印Ｇ方向の力をより大きくするように作用する。
【００４６】
尚、後身頃２においては、図４（ｂ）において、前中心１ｂと後中心２ｂを合わせることにより、矢印Ｅ’方向（矢印Ｅとは逆方向）に若干引っ張ることになるが、襟みつ幅は、ＢからＡに近づくため、上記後身頃２の襟ぐり２ａは三次元的には若干ふくらんだ状態となり（襟ぐり２ａのふくらみは、立体的には、図２（ａ）に示すように首の後４０に立体的に沿う形状となるため）、従って、後身頃２においては、上記矢印Ｅ’に反する方向の力は生ずることはないか、或いは、生じても非常に弱いので、上記矢印Ｈ又はＧ方向の力に吸収され、結果として上記矢印Ｈ又はＧ方向の力のみが作用することになる。
【００４７】
以上の作用により、上記型紙１１により縫製した洋服は、図５に示すように、該洋服を人間が着用したとき、両側の肩線２ｃの前後において、後身頃２から前身頃１に向かって布を構成する糸の戻ろうとする力（矢印Ｇ方向、主に経糸３０によるものと考えられる）が作用するため、後身頃２の襟ぐり２ａが後方に抜けることを防ぎ、着心地の良い洋服を作ることができる。
【００４８】
特に、両方の肩線２ｃ，２ｃから前方に向けての力（矢印Ｇ）は、両肩線２ｃ，２ｃから前中心１ｂに向けて作用するので（図５（ａ）（ｂ）参照）、当該洋服を着用すると、上記矢印Ｇ方向の力が両側から胸を包み込むように作用し、とても着心地が良い洋服を作ることができる。
【００４９】
このような作用は、前中心１ｃをボタンにて留めて着用する洋服或いは、襟ぐりに襟を付けたブラウス等でも同様であり、従来は図９に示すように、襟３ａが首の後側に抜けていたものが、前方への上記矢印Ｇ方向の力が作用することにより、図８に示すように、襟３ａが後方に抜けることがなく、着心地が良く、しかも見た目も良いブラウス（洋服）を形成することができるものである。
【００５０】
特に、最近は携帯電話等を使用する際、首を前かがみにする姿勢になることが多くなっているため、従来のブラウス等の洋服では、襟ぐり又は襟が後ろに抜け易く、見た目も着崩れたような状況になり易かった。
【００５１】
本考案の型紙により縫製された洋服によれば、襟ぐり又は襟が後ろに抜け難くなるため、着心地が良く、見た目も綺麗な洋服を縫製することができるものである。
【００５２】
図１０に示すものは、本考案に係る洋服の型紙を使用した商品であり、袋２８の中に、本考案に係る型紙１１、その型紙を使用した洋服の作り方の説明書２９、完成された洋服の写真２７を入れて、セットとして販売するものである。上記説明書２９には、上記型紙１１を使用した洋服のデザインのバリエーションの説明、デザインのバリエーションの洋服の図面又は写真等も記載することができる。
【００５３】
以上のように、本考案によれば、本考案に係る型紙により洋服を縫製すると、出来上がった洋服は、肩の後ろから前身頃の前中心の方向に向けて布を構成する糸（主に経糸３０）の戻ろうとする力が作用し、結果として襟ぐり又は襟が後ろに抜けることを防止した着心地の良い洋服を製造することができる。
【産業上の利用可能性】
【００５４】
本考案に係る洋服の型紙は、型紙として販売することにより、誰でも簡単に着心地の良い洋服を縫製することができるものである。
【符号の説明】
【００５５】
１      前身頃
１ａ    襟ぐり
１ｂ    前中心
１ｃ    肩線
２      後身頃
２ａ    襟ぐり
２ａ’  ライン
２ｂ    後中心
２ｃ    肩線
７      バックネックポイント
８      サイドネックポイント
１０    突出部
１１    型紙
２９    説明書
Ａ      前身頃の襟みつ幅
Ｂ      後身頃の襟みつ幅
【図１】
0003216409.tif 000003
【図２】
0003216409.tif 000004
【図３】
0003216409.tif 000005
【図４】
0003216409.tif 000006
【図５】
0003216409.tif 000007
【図６】
0003216409.tif 000008
【図７】
0003216409.tif 000009
【図８】
0003216409.tif 000010
【図９】
0003216409.tif 000011
【図１０】
0003216409.tif 000012